(57)【要約】【課題】本発明は、情報取得方法及び電動スクーターを提供する。【解決手段】該方法は、ターゲットアカウントでロック解除された電動スクーターの移動軌跡におけるターゲット位置の位置情報と、ターゲット位置での無線信号の信号強度を示す信号強度情報とを取得することと、位置情報と信号強度情報との対応関係を確立することと、ターゲットアカウントがログインしているターゲットクライアントに位置情報と信号強度情報を表示するように、対応関係をターゲットクライアントに送信することと、を含む。本発明によれば、駐車位置に対する緩い制約による電動スクーターの不適切な駐車という関連技術にある問題を解決し、電動スクーターの駐車有効性を向上させるという効果を達成する。【選択図】図１
2020091827.tif 000002
【特許請求の範囲】
【請求項１】
ターゲットアカウントでロック解除された電動スクーターの移動軌跡におけるターゲット位置の位置情報と、前記ターゲット位置での無線信号の信号強度を示す信号強度情報とを取得することと、
前記位置情報と前記信号強度情報との対応関係を確立することと、
前記ターゲットアカウントがログインしているターゲットクライアントに前記位置情報と前記信号強度情報を表示するように、前記対応関係を前記ターゲットクライアントに送信することと、を含むことを特徴とする情報取得方法。
【請求項２】
前記ターゲットアカウントでロック解除された前記電動スクーターの前記移動軌跡における前記ターゲット位置の前記位置情報と前記信号強度情報とを取得することは、
前記電動スクーターに搭載された全地球測位サービスＧＰＳシステムにより前記位置情報を取得することと、
前記電動スクーターに取り付けられた第１の無線通信デバイスにより前記信号強度情報を検出することと、を含むことを特徴とする請求項１に記載の方法。
【請求項３】
前記ターゲットアカウントでロック解除された前記電動スクーターの前記移動軌跡における前記ターゲット位置の前記位置情報と前記信号強度情報とを取得することは、
前記電動スクーターに取り付けられた第２の無線通信デバイスにより、前記電動スクーター以外の電動スクーターから前記ターゲット位置の前記位置情報と前記信号強度情報を受信することを含むことを特徴とする請求項１に記載の方法。
【請求項４】
前記位置情報と前記信号強度情報との前記対応関係を確立した後、
確立された前記対応関係を前記電動スクーターに保存することをさらに含むことを特徴とする請求項１に記載の方法。
【請求項５】
前記対応関係を前記ターゲットアカウントがログインしている前記ターゲットクライアントに送信することは、
ターゲットサーバを介して、前記対応関係を前記ターゲットアカウントがログインしている前記ターゲットクライアントに送信することを含むことを特徴とする請求項１に記載の方法。
【請求項６】
前記対応関係を前記ターゲットアカウントがログインしている前記ターゲットクライアントに送信した後、
前記電動スクーターをロックするための、前記電動スクーターに対するターゲット操作を検出することと、
前記電動スクーターが位置する第１の位置での前記無線信号の信号強度がターゲット閾値よりも小さい場合、前記ターゲット操作に応答して前記電動スクーターをロックする前に、前記第１の位置での前記無線信号の信号強度が前記ターゲット閾値よりも小さいことを通知する通知情報を前記電動スクーターにより送ることと、をさらに含むことを特徴とする請求項１に記載の方法。
【請求項７】
前記対応関係を前記ターゲットアカウントがログインしている前記ターゲットクライアントに送信した後、
前記ターゲットアカウントが前記電動スクーターの使用を終了させた後、前記電動スクーターが位置する第２の位置での前記無線信号の信号強度がターゲット閾値よりも小さいことを検出することと、
確立された前記対応関係に基づいて、前記移動軌跡において、前記無線信号の信号強度が前記ターゲット閾値以上である第３の位置を決定することと、
前記電動スクーターのモータにより、前記電動スクーターが前記第２の位置から前記第３の位置へ移動するように制御することと、をさらに含むことを特徴とする請求項１〜６のいずれか１項に記載の方法。
【請求項８】
ターゲットアカウントでロック解除された電動スクーターの移動軌跡におけるターゲット位置の位置情報と、前記ターゲット位置での無線信号の信号強度を示す信号強度情報とを取得する取得モジュールと、
前記位置情報と前記信号強度情報との対応関係を確立する確立モジュールと、
前記ターゲットアカウントがログインしているターゲットクライアントに前記位置情報と前記信号強度情報を表示するように、前記対応関係を前記ターゲットクライアントに送信する送信モジュールと、を含むことを特徴とする電動スクーター。
【請求項９】
前記取得モジュールは、
前記電動スクーターに搭載された全地球測位サービスＧＰＳシステムにより前記位置情報を取得し、前記電動スクーターに取り付けられた第１の無線通信デバイスにより前記信号強度情報を検出する検出ユニットを含むことを特徴とする請求項８に記載の電動スクーター。
【請求項１０】
前記取得モジュールは、
前記電動スクーターに取り付けられた第２の無線通信デバイスにより、前記電動スクーター以外の電動スクーターから前記ターゲット位置の前記位置情報と前記信号強度情報を受信する受信ユニットを含むことを特徴とする請求項８に記載の電動スクーター。
【請求項１１】
確立された前記対応関係を前記電動スクーターに保存することを特徴とする請求項８に記載の電動スクーター。
【請求項１２】
前記対応関係を前記ターゲットアカウントがログインしている前記ターゲットクライアントに送信した後、前記電動スクーターをロックするための、前記電動スクーターに対するターゲット操作を検出する第１の検出モジュールと、
前記電動スクーターが位置する第１の位置での前記無線信号の信号強度がターゲット閾値よりも小さい場合、前記ターゲット操作に応答して前記電動スクーターをロックする前に、前記第１の位置での前記無線信号の信号強度が前記ターゲット閾値よりも小さいことを通知する通知情報を前記電動スクーターにより送る通知モジュールと、をさらに含むことを特徴とする請求項８に記載の電動スクーター。
【請求項１３】
前記対応関係を前記ターゲットアカウントがログインしている前記ターゲットクライアントに送信した後、前記ターゲットアカウントが前記電動スクーターの使用を終了させた後、前記電動スクーターが位置する第２の位置での前記無線信号の信号強度がターゲット閾値よりも小さいことを検出する第２の検出モジュールと、
確立された前記対応関係に基づいて、前記移動軌跡において、前記無線信号の信号強度が前記ターゲット閾値以上である第３の位置を決定する決定モジュールと、
前記電動スクーターのモータにより、前記電動スクーターが前記第２の位置から前記第３の位置へ移動するように制御する制御モジュールと、をさらに含むことを特徴とする請求項８〜１２のいずれか１項に記載の電動スクーター。
【請求項１４】
実行されると、請求項１〜７のいずれか１項に記載の方法を実行するように構成されるコンピュータプログラムが記憶されていることを特徴とする記憶媒体。
【請求項１５】
メモリ及びプロセッサを含む電子装置であって、前記メモリにコンピュータプログラムが記憶されており、前記プロセッサが、コンピュータプログラムを実行することにより、請求項１〜７のいずれか１項に記載の方法を実行するように構成されることを特徴とする電子装置。
【発明の詳細な説明】
【技術分野】
【０００１】
本発明は、通信の分野に関し、具体的には、情報取得方法及び電動スクーターに関する。
【背景技術】
【０００２】
現在では、ユーザが共有電動スクーターを容易に使用できるように、駐車位置に対する制限が緩いため、ユーザが電動スクーターを信号がないか又は信号強度が低い場所に駐車する可能性が高く、従って、ユーザは、信号がないか又は信号強度が低い場所に駐車されたスクーターを電動スクーターに対応するターゲットアプリケーションでは、発見することができない。
駐車位置に対する緩い制約による電動スクーターの不適切な駐車という問題が関連技術に存在することが分かる。
【発明の概要】
【発明が解決しようとする課題】
【０００３】
本発明の実施例は、情報取得方法及び電動スクーターを提供することにより、少なくとも駐車位置に対する緩い制約による電動スクーターの不適切な駐車という関連技術にある問題を解決する。
【課題を解決するための手段】
【０００４】
本発明の一実施例によれば、情報取得方法を提供し、該方法は、ターゲットアカウントでロック解除された電動スクーターの移動軌跡におけるターゲット位置の位置情報と、ターゲット位置での無線信号の信号強度を示す信号強度情報とを取得することと、位置情報と信号強度情報との対応関係を確立することと、ターゲットアカウントがログインしているターゲットクライアントに位置情報と信号強度情報を表示するように、対応関係をターゲットクライアントに送信することと、を含む。
【０００５】
ターゲットアカウントでロック解除された電動スクーターの移動軌跡におけるターゲット位置の位置情報と信号強度情報とを取得することは、電動スクーターに搭載された全地球測位サービスＧＰＳシステムにより位置情報を取得することと、電動スクーターに取り付けられた第１の無線通信デバイスにより信号強度情報を検出することと、を含んでもよい。
【０００６】
ターゲットアカウントでロック解除された電動スクーターの移動軌跡におけるターゲット位置の位置情報と信号強度情報とを取得することは、電動スクーターに取り付けられた第２の無線通信デバイスにより、電動スクーター以外の電動スクーターからターゲット位置の位置情報と信号強度情報を受信することを含んでもよい。
【０００７】
位置情報と信号強度情報との対応関係を確立した後、確立された対応関係を電動スクーターに保存してもよい。
対応関係をターゲットアカウントがログインしているターゲットクライアントに送信することは、対応関係をターゲットサーバを介してターゲットアカウントがログインしているターゲットクライアントに送信することを含んでもよい。
【０００８】
対応関係をターゲットアカウントがログインしているターゲットクライアントに送信した後、電動スクーターをロックするための、電動スクーターに対するターゲット操作を検出し、電動スクーターが位置する第１の位置での無線信号の信号強度がターゲット閾値よりも小さい場合、ターゲット操作に応答して電動スクーターをロックする前に、第１の位置での無線信号の信号強度がターゲット閾値よりも小さいことを通知する通知情報を電動スクーターにより送ってもよい。
【０００９】
対応関係をターゲットアカウントがログインしているターゲットクライアントに送信した後、ターゲットアカウントが電動スクーターの使用を終了させた後、電動スクーターが位置する第２の位置での無線信号の信号強度がターゲット閾値よりも小さいことを検出し、確立された対応関係に基づいて、移動軌跡において、無線信号の信号強度がターゲット閾値以上である第３の位置を決定し、電動スクーターのモータにより、電動スクーターが第２の位置から第３の位置へ移動するように制御してもよい。
【００１０】
本発明の別の実施例によれば、電動スクーターを提供し、該電動スクーターは、ターゲットアカウントでロック解除された電動スクーターの移動軌跡におけるターゲット位置の位置情報と、ターゲット位置での無線信号の信号強度を示す信号強度情報とを取得する取得モジュールと、位置情報と信号強度情報との対応関係を確立する確立モジュールと、ターゲットアカウントがログインしているターゲットクライアントに位置情報と信号強度情報を表示するように、対応関係をターゲットクライアントに送信する送信モジュールと、を含む。
【００１１】
取得モジュールは、電動スクーターに搭載された全地球測位サービスＧＰＳシステムにより位置情報を取得し、電動スクーターに取り付けられた第１の無線通信デバイスにより信号強度情報を検出する検出ユニットを含む。
好ましくは、取得モジュールは、電動スクーターに取り付けられた第２の無線通信デバイスにより、電動スクーター以外の電動スクーターからターゲット位置の位置情報と信号強度情報を受信する受信ユニットを含んでもよい。
【００１２】
電動スクーターは、さらに、確立された対応関係を電動スクーターに保存してもよい。
電動スクーターは、対応関係をターゲットアカウントがログインしているターゲットクライアントに送信した後、電動スクーターをロックするための、電動スクーターに対するターゲット操作を検出する第１の検出モジュールと、電動スクーターが位置する第１の位置での無線信号の信号強度がターゲット閾値よりも小さい場合、ターゲット操作に応答して電動スクーターをロックする前に、第１の位置での無線信号の信号強度がターゲット閾値よりも小さいことを通知する通知情報を電動スクーターにより送る通知モジュールと、をさらに含んでもよい。
【００１３】
電動スクーターは、対応関係をターゲットアカウントがログインしているターゲットクライアントに送信した後、ターゲットアカウントが電動スクーターの使用を終了させた後、電動スクーターが位置する第２の位置での無線信号の信号強度がターゲット閾値よりも小さいことを検出する第２の検出モジュールと、確立された対応関係に基づいて、移動軌跡において、無線信号の信号強度がターゲット閾値以上である第３の位置を決定する決定モジュールと、電動スクーターのモータにより、電動スクーターが第２の位置から第３の位置へ移動するように制御する制御モジュールと、をさらに含んでもよい。
【００１４】
本発明のさらなる実施例によれば、実行されると、上記方法の実施例におけるステップを実行するように構成されるコンピュータプログラムが記憶されている記憶媒体をさらに提供する。
本発明のさらなる実施例によれば、コンピュータプログラムが記憶されているメモリと、前記コンピュータプログラムを実行することにより、上記方法の実施例におけるステップを実行するように構成されるプロセッサと、を含む電子装置をさらに提供する。
【発明の効果】
【００１５】
本発明によれば、ターゲットアカウントでロック解除された電動スクーターの移動軌跡におけるターゲット位置の位置情報と、ターゲット位置での無線信号の信号強度を示す信号強度情報とを取得し、位置情報と信号強度情報との対応関係を確立し、ターゲットアカウントがログインしているターゲットクライアントに位置情報と信号強度情報を表示するように、対応関係をターゲットクライアントに送信することで、電動スクーターがその移動軌跡上の位置情報と信号強度情報との対応関係を取得し、対応関係に基づいて関連するターゲットクライアントに位置情報と信号強度情報を表示するため、ユーザが途中の信号強度の高い領域を知ることができ、ユーザが駐車位置を選択するために根拠を提供し、駐車位置に対する緩い制約による電動スクーターの不適切な駐車という関連技術にある問題を解決し、電動スクーターの駐車有効性を向上させるという効果を達成する。
【００１６】
ここで説明する図面は、本発明を一層理解させるためのもので、本願の一部を構成し、本発明の例示的な実施例及びその説明は、本発明を解釈するもので、本発明を限定するものではない。図面において、
【図面の簡単な説明】
【００１７】
【図１】本発明の実施例に係る情報取得方法を示すフローチャートである。
【図２】本発明の実施例に係る好適な電動スクーターの構成を示すブロック図である。
【図３】本発明の実施例に係る別の好適な電動スクーターの構成を示すブロック図である。
【図４】本発明の実施例に係るさらなる好適な電動スクーターの構成を示すブロック図である。
【発明を実施するための形態】
【００１８】
以下、図面を参照しながら実施例を組み合わせて本発明を詳細に説明する。なお、本出願における実施例と実施例における特徴は、矛盾しない限り、互いに組み合わせることができる。
なお、本発明の明細書、特許請求の範囲及び上記図面に用いられた「第１」、「第２」等の用語は、類似する対象を区別するためのもので、特定の順序又は前後順を限定するものではない。
【００１９】
（実施例１）
本実施例は、電動スクーターで実行される情報取得方法を提供し、図１は、本発明の実施例に係る情報取得方法を示すフローチャートであり、図１に示すように、該フローは、
ターゲットアカウントでロック解除された電動スクーターの移動軌跡におけるターゲット位置の位置情報と、ターゲット位置での無線信号の信号強度を示す信号強度情報とを取得するステップＳ１０２と、
位置情報と信号強度情報との対応関係を確立するステップＳ１０４と、
ターゲットアカウントがログインしているターゲットクライアントに位置情報と信号強度情報を表示するように、対応関係をターゲットクライアントに送信するステップＳ１０６と、を含む。
【００２０】
上記ステップにより、電動スクーターにおける第１の無線通信デバイスの信号強度がターゲット閾値よりも低いことを検出した場合、ターゲットアカウントでロック解除された電動スクーターの移動軌跡におけるターゲット位置の位置情報と、ターゲット位置での無線信号の信号強度を示す信号強度情報とを取得し、位置情報と信号強度情報との対応関係を確立し、ターゲットアカウントがログインしているターゲットクライアントに位置情報と信号強度情報を表示するように、対応関係をターゲットクライアントに送信することにより、駐車位置に対する緩い制約による電動スクーターの不適切な駐車という関連技術にある問題を解決し、電動スクーターの駐車有効性を向上させる。
【００２１】
上記ステップの実行本体は、電動スクーターなどであってもよいが、これに限定されない。
上記電動スクーターは、複数の異なる構成要素を含むことができ、ハンドル、ハンドルバー、ボディーフレーム、（少なくとも２つ）、接続部材などのうちの少なくとも１つを含むことができるがこれらに限定されない。
ステップＳ１０２では、電動スクーターは、ターゲットアカウントでロック解除された電動スクーターの移動軌跡におけるターゲット位置の位置情報と、ターゲット位置での無線信号の信号強度を示す信号強度情報とを取得する。
【００２２】
該位置情報と該信号強度情報を取得する前に、ユーザはまずターゲットアカウントを用いて該電動スクーターをロック解除することができる。例えば、携帯電話のターゲットアカウントがログインしているターゲットアプリケーションクライアント（該電動スクーターと対応する）を用いて電動スクーター上のグラフィックコード（例えば、二次元コード）をスキャンし、ターゲットアプリケーションクライアントと、電動スクーターに対応するサーバと、該電動スクーターとの間のインタラクションにより、ターゲットアカウントを用いて該電動スクーターをロック解除する。
【００２３】
電動スクーターに位置記録モジュールを追加することができる。ロック解除に成功した後の該電動スクーターの使用中（電動スクーターの走行中）に、スクーターは、経路における信号のある道路区間と信号のない道路区間をリアルタイムに記録する。
該電動スクーターは、周期的なトリガまたはイベントトリガにより取得動作を実行して現在位置の位置情報と信号強度情報を取得することができ、位置情報は、全地球測位サービス（Ｇｌｏｂａｌ  Ｐｏｓｉｔｉｏｎｉｎｇ  Ｓｅｒｖｉｃｅ、ＧＰＳと略称する）システムにより取得することができ、上記無線信号の信号強度は、無線通信デバイスにより取得することができる。
【００２４】
好適な実施形態として、取得された位置情報と信号強度情報は、本電動スクーターに取り付けられた部品により検出されてもよい。電動スクーターに搭載されたＧＰＳシステムにより位置情報を取得し、電動スクーターに取り付けられた第１の無線通信デバイスにより信号強度情報を検出する。
電動スクーターに第１の無線通信デバイスが取り付けられてよく、該第１の無線通信デバイスは、第１の無線ネットワーク（例えば、４Ｇネットワーク）を介して電動スクーターに対応するターゲットサーバ（例えば、センターサーバ）と通信するとともに、第１の無線ネットワークのネットワーク信号の信号強度を検出することができる。
【００２５】
別の好適な実施形態として、取得された位置情報と信号強度情報は、他のスクーターに取り付けられた部品により検出され、他のスクーターから上記電動スクーターに送信されてもよい。電動スクーターに取り付けられた第２の無線通信デバイスにより、電動スクーター以外の電動スクーターからターゲット位置の位置情報と信号強度情報を受信する。
【００２６】
電動スクーターに第２の無線通信デバイスが取り付けられてよく、該第２の無線通信デバイスは、第２の無線ネットワークを介して他のスクーターと通信するとともに、第２の無線ネットワークのネットワーク信号の信号強度を検出することができる。第２の無線通信デバイスは、ＷＩＦＩ（登録商標）（Ｗｉｒｅｌｅｓｓ  Ｆｉｄｅｌｉｔｙ、ワイヤレスフィデリティ）又は５Ｇ（ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、第五世代モバイル通信技術）モジュールであってよい。
【００２７】
第１の無線通信デバイスと第２の無線通信デバイスは、同一の通信デバイス（例えば、スクーター間のインタラクション、スクーターとサーバとの間のインタラクションが同じネットワークを用い、複数のネットワークインタラクション機能が１つの無線通信デバイスに統合されている）であってもよく、異なる通信デバイス（例えば、スクーター間のインタラクション、スクーターとサーバとの間のインタラクションが異なるネットワークを用いる）であってもよい。
【００２８】
本発明の実施例の上記技術案によれば、異なる方式で位置情報と信号強度情報を取得することにより、情報取得の柔軟性と情報取得効率を向上させることができる。
ステップＳ１０４では、電動スクーターは、該位置情報と該信号強度情報との対応関係を確立する。
【００２９】
ターゲット位置の位置情報と信号強度情報を取得した後、ターゲットクライアントに位置情報と信号強度情報を表示するように、両者の対応関係を確立してよい。確立された対応関係を、該電動スクーターに記憶することができ、例えば、該電動スクーターのメモリに記録することができる。
ステップＳ１０６では、電動スクーターは、ターゲットアカウントがログインしているターゲットクライアントに位置情報と信号強度情報を表示するように、対応関係をターゲットクライアントに送信する。
【００３０】
対応関係は、電動スクーターからターゲットクライアントに直接送信されてもよく（電動スクーターとターゲットクライアントとの間で情報が直接伝送されることができる）、電動スクーターからサーバを介してターゲットクライアントに送信されてもよい。
電動スクーターは対応関係をサーバに送信して、サーバにより対応関係を保存することができる。ターゲットクライアントがサーバに対応関係を取得するための要求メッセージを送信した後、対応関係がターゲットサーバに送信される。
【００３１】
該電動スクーターから報告された対応関係の他に、サーバは他のスクーターから報告された位置情報と信号強度情報との対応関係をさらに保存することができる。異なる電動スクーターの移動軌跡や、同一の電動スクーターの異なる時点での移動軌跡がいずれも異なってよいため、複数の電動スクーターから報告された対応関係に基づいて、ターゲット統計領域における信号分布を統計し、都市の信号強度の低いポイントを発見して統計し、都市信号分布の計画を助けることができる。
【００３２】
本発明の実施例では、対応関係をターゲットアカウントがログインしているターゲットクライアントに送信した後、電動スクーターをロックするための、電動スクーターに対するターゲット操作を検出し、電動スクーターが位置する第１の位置での無線信号の信号強度がターゲット閾値よりも小さい場合、ターゲット操作に応答して電動スクーターをロックする前に、第１の位置での無線信号の信号強度がターゲット閾値よりも小さいことを通知する通知情報を電動スクーターにより送ることができる。
【００３３】
例えば、ユーザがスクーターに乗った後にスクーターをロックする場合に、該区間内に信号がないと、スクーターが信号無し警報を出し、ユーザは、ＡＰＰを開いてスクーターが途中に記録した信号有無領域をチェックし、最も近い信号のある領域を選択して駐車してスクーターをロックする。途中に信号の有無を記録する方式で、ユーザに信号強度の高い領域を示すことにより、ユーザがスクーターを信号のある領域に駐車することを容易にする。
【００３４】
本発明の実施例の上記技術案によれば、スクーターロック操作の実行を検出したときに、現在駐車している位置の信号強度が不十分であると、電動スクーターが通知情報を送ることにより、ユーザが現在位置の信号状態を知ることを容易にし、ユーザがスクーターを信号がないか又は信号強度が低い場所に駐車する確率を下げる。
【００３５】
本発明の実施例では、対応関係をターゲットアカウントがログインしているターゲットクライアントに送信し、ターゲットアカウントが電動スクーターの使用を終了させた後、電動スクーターは、電動スクーターが位置する第２の位置での無線信号の信号強度がターゲット閾値よりも小さいことを検出し、確立された対応関係に基づいて、移動軌跡において、無線信号の信号強度がターゲット閾値以上である第３の位置を決定し、電動スクーターのモータにより、電動スクーターが第２の位置から第３の位置へ移動するように制御する。
【００３６】
電動スクーターに上記対応関係が保存されてよい。ターゲットアカウントが電動スクーターの使用を終了させた後、電動スクーターは使用されていない状態にある。現在位置の信号強度がターゲット閾値よりも小さいことを検出すると、電動スクーターは移動軌跡から信号強度の高い位置を選択し、電動スクーターが現在位置から選択された位置へ移動するように制御する。
【００３７】
本発明の実施例の上記技術案によれば、使用されていないときに電動スクーターが信号強度の高い位置に自動的に移動することにより、電動スクーターの位置情報取得を容易にする。
以上の実施形態の説明により、当業者であれば、上記実施例に係る方法は、ソフトウェアに必要な汎用のハードウェアプラットフォームを結合した方式で実現され、一方、ハードウェアにより実現されることが当然であるが、多数の場合、前者がより好適な実施形態であることを明確に理解することができる。このような理解に基づいて、本発明の技術案の実質又は従来技術に貢献のある部分は、ソフトウェア製品の形態で体現され、該コンピュータソフトウェア製品は記憶媒体（例えば、ＲＯＭ／ＲＡＭ、ディスク、ＣＤ）に記憶され、１台の端末機器（携帯電話や、コンピュータ、サーバ、ネットワーク機器等であってもよい）に本発明の各実施例で説明した方法を実行させるいくつかの命令を含む。
【００３８】
（実施例２）
本実施例において、電動スクーターをさらに提供し、該電動スクーターは、上記実施例及び好ましい実施形態を実現し、既に説明したものを省略する。以下に使用されるように、用語「モジュール」は、所定の機能のソフトウェア及び/又はハードウェアの組み合わせを実現することができる。以下の実施例に説明する装置は、好ましくは、ソフトウェアで実現されるが、ハードウェア、又はソフトウェアとハードウェアとの組み合わせで実現されることも構想される。
【００３９】
図２は、本発明の実施例に係る好適な電動スクーターの構成を示すブロック図であり、図２に示すように、該電動スクーターは、
ターゲットアカウントでロック解除された電動スクーターの移動軌跡におけるターゲット位置の位置情報と、ターゲット位置での無線信号の信号強度を示す信号強度情報とを取得する取得モジュール２２と、
取得モジュール２２に接続され、位置情報と信号強度情報との対応関係を確立する確立モジュール２４と、
確立モジュール２４に接続され、ターゲットアカウントがログインしているターゲットクライアントに位置情報と信号強度情報を表示するように、対応関係をターゲットクライアントに送信する送信モジュール２６と、を含む。
【００４０】
取得モジュール２２は、前記電動スクーターに搭載された全地球測位サービスＧＰＳシステムにより前記位置情報を取得し、前記電動スクーターに取り付けられた第１の無線通信デバイスにより前記信号強度情報を検出する検出ユニットを含んでもよい。
取得モジュール２２は、前記電動スクーターに取り付けられた第２の無線通信デバイスにより、前記電動スクーター以外の電動スクーターから前記ターゲット位置の前記位置情報と前記信号強度情報を受信する受信ユニットを含んでもよい。
【００４１】
図３は、本発明の実施例に係る別の好適な電動スクーターの構成を示すブロック図であり、図３に示すように、該装置は、図２に示す全てのモジュールを含み、
送信モジュール２６に接続され、対応関係をターゲットアカウントがログインしているターゲットクライアントに送信した後、電動スクーターをロックするための、電動スクーターに対するターゲット操作を検出する第１の検出モジュール３２と、
第１の検出モジュール３２に接続され、電動スクーターが位置する第１の位置での無線信号の信号強度がターゲット閾値よりも小さい場合、ターゲット操作に応答して電動スクーターをロックする前に、第１の位置での無線信号の信号強度がターゲット閾値よりも小さいことを通知する通知情報を電動スクーターにより送る通知モジュール３４と、をさらに含む。
【００４２】
図４は、本発明の実施例に係るさらなる好適な電動スクーターの構成を示すブロック図であり、図４に示すように、該装置は、図２に示す全てのモジュールを含み、
送信モジュール２６に接続され、対応関係をターゲットアカウントがログインしているターゲットクライアントに送信した後、ターゲットアカウントが電動スクーターの使用を終了させた後、電動スクーターが位置する第２の位置での無線信号の信号強度がターゲット閾値よりも小さいことを検出する第２の検出モジュール４２と、
第２の検出モジュール４２に接続され、確立された対応関係に基づいて、移動軌跡において、無線信号の信号強度がターゲット閾値以上である第３の位置を決定する決定モジュール４４と、
決定モジュール４４に接続され、電動スクーターのモータにより、電動スクーターが第２の位置から第３の位置へ移動するように制御する制御モジュール４６と、をさらに含む。
【００４３】
なお、上記各モジュールはソフトウェア又はハードウェアにより実現することができ、後者である場合、上記モジュールがいずれも同一のプロセッサに位置する方式、又は、上記各モジュールが任意の組み合わせでそれぞれ異なるプロセッサに位置する方式で実現することができるが、これらに限定されない。
【００４４】
（実施例３）
本発明の実施例は、さらに、実行されると、上記いずれか１つの方法の実施例におけるステップを実行するように構成されるコンピュータプログラムが記憶されている記憶媒体を提供する。
本実施例において、上記記憶媒体は、
ターゲットアカウントでロック解除された電動スクーターの移動軌跡におけるターゲット位置の位置情報と、ターゲット位置での無線信号の信号強度を示す信号強度情報とを取得するステップＳ１と、
位置情報と信号強度情報との対応関係を確立するステップＳ２と、
ターゲットアカウントがログインしているターゲットクライアントに位置情報と信号強度情報を表示するように、対応関係をターゲットクライアントに送信するステップＳ３と、を実行させるコンピュータプログラムを記憶するように構成されてもよい。
【００４５】
本実施例において、上記記憶媒体は、ＵＳＢフラッシュドライブや、リードオンリーメモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、モバイルハードディスク、ディスク、ＣＤ等の、コンピュータプログラムを記憶できる様々な媒体を含んでもよいが、これらに限定されない。
【００４６】
本発明の実施例は、コンピュータプログラムが記憶されているメモリと、コンピュータプログラムを実行することにより、上記いずれか１つの方法の実施例におけるステップを実行するように構成されるプロセッサと、を含む電子装置をさらに提供する。該電子装置は電動スクーターに用いられることができる。
本実施例において、上記プロセッサは、
ターゲットアカウントでロック解除された電動スクーターの移動軌跡におけるターゲット位置の位置情報と、ターゲット位置での無線信号の信号強度を示す信号強度情報とを取得するステップＳ１と、
位置情報と信号強度情報との対応関係を確立するステップＳ２と、
ターゲットアカウントがログインしているターゲットクライアントに位置情報と信号強度情報を表示するように、対応関係をターゲットクライアントに送信するステップＳ３と、をコンピュータプログラムにより実行するように構成されてもよい。
【００４７】
本実施例の具体的な例としては、上記実施例及び好適な実施形態において説明した例を参照することができ、本実施例において詳細な説明を省略する。
明らかに、当業者であれば、上記本発明の各モジュール又は各ステップが汎用のコンピュータ装置で実現することができ、それらが単一のコンピュータ装置に集積してもよく、複数のコンピュータ装置からなるネットワークに分布してもよく、好ましくは、それらをコンピュータ装置に実行可能なプログラムコードで実現することにより、それらを記憶装置に記憶してコンピュータ装置で実行することができる。また、ここでの順序と異なる順序で、示されたか又は記載されたステップを実行することも可能である。あるいは、それらをそれぞれ個別の各集積回路モジュールに作製し、又はそれらのうちの複数のモジュール又はステップを単一の集積回路モジュールに作製して実現することも可能である。このように、本発明は、いかなる特定のハードウェアとソフトウェアの組み合わせにも限定されない。
【００４８】
上記は、本発明の好ましい実施例に過ぎず、本発明を限定するものではなく、当業者であれば、本発明に対する様々な変更と変化を行うことができる。本発明の要旨を逸脱しない範囲において行われる任意の修正、等効置換、改良などは、いずれも本発明の保護範囲内に含まれるべきである。
【図１】
2020091827.tif 000003
【図２】
2020091827.tif 000004
【図３】
2020091827.tif 000005
【図４】
2020091827.tif 000006